(57)【要約】【課題】テープリールの回転方向がいずれの回転方向であっても、磁気テープを安定して走行させ、磁気ヘッドが磁気テープの記録の読み取りや書き込みを正常に行うことができる磁気テープカセットを提供すること。【解決手段】磁気テープを巻回した一対のテープリール１１を回転自在に収容保持した磁気テープカセットのカセットケース内に、一対のテープリール１１上に配したリールホルダ１２を介してテープリール１１を付勢するリールバネを有する磁気テープカセット１であって、リールバネが、テープリール１１の回転方向が切換わった際において同一の付勢力をもつ波形板バネ状リールバネ１４である構成。【選択図】        図３
2004296046.tif 000002
【特許請求の範囲】
【請求項１】
磁気テープを巻回した一対のテープリールを回転自在に収容保持した磁気テープカセットのカセットケース内に、前記一対のテープリール上に配したリールホルダを介して該テープリールを付勢するリールばねを有する磁気テープカセットであって、
前記リールばねが、波形板ばね状リールばねであることを特徴とする磁気テープカセット。
【請求項２】
前記リールばねは、前記テープリールの回転方向が切換わった際において同一の付勢力をもつことを特徴とする請求項１記載の磁気テープカセット。
【発明の詳細な説明】
【０００１】
【発明の属する技術分野】
本発明は、例えばＶＴＲ（ビデオテープレコーダ）用の記録媒体等に使用される磁気テープカセットに関し、詳しくは、回転するテープリールを付勢するリールばねの改良に関する。
【０００２】
【従来の技術】
従来より、例えばＶＴＲ用の記録媒体として、磁気テープカセットが多用されている。この磁気テープカセットは、その用途に応じて、民生用と業務用に区分されている。図５は、業務用のテープカセットの主要構成部品を示した分解斜視図である。
【０００３】
図５に示すように、この磁気テープカセット２０は、カセットケースを構成する上カセットハーフ２４及び下カセットハーフ２２と、これらの上下カセットハーフ２４，２２内に回転自在に収容保持された一対のテープリール２８，３０と、これらの一対のテープリール２８，３０に巻回された磁気テープ２６と、上記の上下カセットハーフ２４，２２の前端側の開口を開閉可能なリッド３２とを備えている。
【０００４】
更に、下カセットハーフ２２には、磁気テープ２６が架け渡される前端側の開口の両側に、ガイドローラ３６及び金属製のガイドピン３８が取り付けられる。また、下カセットハーフ２２には、磁気テープ２６の裏面に摺接するパッド４４が取り付けられる。上カセットハーフ２４には、リールホルダ４６を介して各テープリール２８，３０を付勢するリールばね４８、当該上カセットハーフ２４の外側からリールばね４８を係止するセンターキャップ５０等が取り付けられる。上下カセットハーフ２４，２２は、上下に突き合わせた状態で、複数のビス３４によって締結される。
【０００５】
以上の構成部品のうち、リールばね４８は、ねじりコイルばねであり、一端がセンターキャップ５０に係止され、他端がリールホルダ４６に当接している。リールばね４８は、リールホルダ４６を介して各テープリール２８，３０を下カセットハーフ２２に向けて付勢することにより、各テープリール２８，３０が下カセットハーフ２２を基準面として、磁気テープ２６が各テープリール２８，３０に均一に巻回されるようにする。
【０００６】
図６は、図５におけるリールばね４８周りの拡大図である。
リールホルダ４６は、各テープリール２８，３０の中央部に係止されて各テープリール２８，３０と一体的に回転する。上カセットハーフ２４に組み付けられるセンターキャップ５０には、リールばね４８の一端部４８ａが係止される。リールばね４８の他端部４８ｂは、リールホルダ４６の上面に摺接可能に当接する（例えば、特許文献１参照）。
【０００７】
【特許文献１】
特開２００１−２４３７４０号公報
【０００８】
【発明が解決しようとする課題】
ところが、上記特許文献１に記載された磁気テープカセット２０では、リールばね４８に、ねじりコイルばねが用いられている。そのため、図７に示すように、各テープリール２８，３０がリールばね４８における螺旋（ねじの弦巻線）に対して順方向である際、各テープリール２８，３０から回転力が伝播されてリールばね４８が伸張されることによって、弾性反発力が大きくなり、各テープリール２８，３０を付勢する力が大きくなって各テープリール２８，３０が下カセットハーフ２２に押し付けられる。
【０００９】
これに反して、図８に示すように、各テープリール２８，３０がリールばね４８における螺旋に対して逆方向である際、同様に各テープリール２８，３０から回転力が伝播されてリールばね４８が圧縮されることによって、弾性反発力が小さくなり、各テープリール２８，３０を付勢する力が小さくなって各テープリール２８，３０が上カセットハーフ２４に押し付けられる。これらにより、各テープリール２８，３０にかかる付勢力が回転方向で異なったものとなり、その結果、各テープリール２８，３０の回転速度が同一にならずに磁気テープ２６の走行が不安定になり、磁気ヘッドが磁気テープの記録の読み取りや書き込みを正常に行うことができなくなるという重大な欠陥が発生する虞がある。
【００１０】
本発明は、前述した問題点に鑑みてなされたもので、その目的は、テープリールの回転方向がいずれの回転方向であっても、磁気テープを安定して走行させ、磁気ヘッドが磁気テープの記録の読み取りや書き込みを正常に行うことができる磁気テープカセットを提供することにある。
【００１１】
【課題を解決するための手段】
本発明の上記目的は、請求項１に記載のように、磁気テープを巻回した一対のテープリールを回転自在に収容保持した磁気テープカセットのカセットケース内に、前記一対のテープリール上に配したリールホルダを介して該テープリールを付勢するリールばねを有する磁気テープカセットであって、
前記リールばねが、波形板ばね状リールばねであることを特徴とする磁気テープカセットにより達成される。
【００１２】
また、本発明の請求項２記載の磁気テープカセットによれば、前記波形板ばね状リールばねは、前記テープリールの回転方向が切換わった際において同一の付勢力を備える。
【００１３】
上記の磁気テープカセットでは、波形板ばね状リールばねにより、各テープリールの回転方向が切換わっても同一の付勢力を各テープリールに付与する。
従って、各テープリールにかかる付勢力を回転方向に無関係に同一にすることができるので、磁気テープの走行が不安定になることがなくなり、磁気ヘッドが磁気テープの記録の読み取りや書き込みを正常に行うことができる。
【００１４】
また、好ましくは、前記波形板ばね状リールばねが、少なくとも一対の平巻き部と、前記平巻き部の円周方向に山部及び谷部を連続して有し、該平巻き部の間に配された波付け部と、から形成されている構成とすると良い。
このように構成することにより、一端部に配された平巻き部をセンターキャップに係止し、他端部に配された平巻き部をリールホルダに当接することにより、ねじれ方向の変位によってばね定数が実質的に変化することなく各テープリールを同一の力で付勢することができる。
【００１５】
【発明の実施の形態】
以下、添付図面に基づいて本発明の実施の形態に係る磁気テープカセットを詳細に説明する。
図１乃至図４は本発明に係る磁気テープカセットの一実施の形態を示したものである。
【００１６】
この一実施の形態の磁気テープカセット１は、磁気テープを巻回した一対のテープリールが回転自在にカセットケース３内に収容保持されると共に、カセットケース３内の磁気テープを所定の走行経路に沿って案内するガイドローラ４がローラ軸５によって回転自在に支承される構成である。
【００１７】
カセットケース３は、図１に示すように、ケース内部のテープリール上の磁気テープの巻き量を視認可能な透明樹脂製の窓部７ａを有した上カセットハーフ７と、この上カセットハーフ７の下に組み付けて上カセットハーフ７にビス止めされる下カセットハーフ９と、これらの上下カセットハーフ７，９の前方の開口部を開閉するリッド３２とを備えた構成である。
【００１８】
上カセットハーフ７及び下カセットハーフ９は、図５に示した上下カセットハーフ２４，２２と同様の構成で、リールばねの構造を除いて、収容する一対のテープリールやリールホルダの構造も図５に示した構造と共通である。また、図２に示すように、下カセットハーフ９の上には、ガイドローラ４の装備位置に近接して、ガイドピン３８や、磁気テープ２６の裏面に摺接するパッド４４が装備されるが、これらのガイドピン３８やパッド４４の装備形態も、図５に示した下カセットハーフ２２の場合と共通である。これらの共通の構成については、説明を省略する。
【００１９】
本実施の形態の磁気テープカセット１の場合も、一対のテープリール１１，１１１上に配したリールホルダ１２，１２と、上カセットハーフ７に組み付けられたセンターキャップ１３，１３との間に各テープリール１１，１１を付勢する波形板ばね状リールばね（リールばね）１４，１４を有する。
【００２０】
本実施の形態の波形板ばね状リールばね１４は、図３に示すように、各テープリール１１，１１の回転方向が切換わった際において同一の付勢力をもつリールばねである。波形板ばね状リールばね１４のばね定数は予め設定される。
【００２１】
波形板ばね状リールばね１４は、複数の波付け部１４ａと、一対の平坦な平巻き部１４ｂ，１４ｂとを備えており、全体として略円筒形状をなしている。波付け部１４ａと平巻き部１４ｂとは、いずれも弾性を有するばね鋼等の帯状の金属薄板ばね材からなり、このばね材を板幅方向に一定の曲率を与えて円環形状に成形したものである。波付け部１４ａの内径と平巻き部１４ｂの内径は互いに同一であり、波付け部１４ａの外径と平巻き部１４ｂの外径も互いに同一である。
【００２２】
本実施の形態の波形板ばね状リールばね１４は、図４に示すように、波付け部１４ａが、側面方向から見て波形に連続する山部１４ａ１と谷部１４ａ２とを、ばね部材の円周方向に交互に等ピッチで同一の波高さに成形されたものである。山部１４ａ１と谷部１４ａ２のピッチは互いに等しい。
平巻き部１４ｂ，１４ｂは、側面方向から見て平坦な形状をなしている。平巻き部１４ｂ，１４ｂは、波付け部１４ａを挟み込んで一体成形されている。
【００２３】
波形板ばね状リールばね１４は、図４中の上方に配された一方の平巻き部１４ｂがセンターキャップ１３に係止される。そして、図４中の下方に配された他方の平巻き部１４ｂがリールホルダ１２に当接される。
【００２４】
波形板ばね状リールばね１４は、平巻き部１４ｂ，１４ｂを互いに近づける方向に荷重を負荷したときに、荷重が平巻き部１４ｂ，１４ｂを介して波付け部１４ａの山部１４ａ１，谷部１４ａ２に伝播され、軸線方向に変位する。そして、テープリール１１が時計回転方向または反時計回転方向に回転することにより、テープリール１１から、回転力が伝播されて軸回りにねじれが生じたとしても、波付け部１４ａの山部１４ａ１，谷部１４ａ２によって、その回転力が吸収される。これにより、テープリール１１の時計回転方向及び反時計回転方向への回転によるねじれの変位があっても、ばね定数が実質的に変化することがない。その結果、波形板ばね状リールばね１４により、一対のテープリール１１，１１にかかる付勢力を回転方向に無関係に同一にすることができる。
更に、波形板ばね状リールばね１４は、一対のテープリール１１，１１にかかる付勢力を回転方向に無関係に同一にするため、一対のテープリール１１，１１に有するフランジの回転振れも減少させることができる。
【００２５】
以上に説明した磁気テープカセット１では、波形板ばね状リールばね１４により、各テープリール１１，１１の回転方向が切換わっても同一の付勢力を各テープリール１１，１１に付与する。
従って、各テープリール１１，１１にかかる付勢力を回転方向に無関係に同一にすることができるので、磁気テープ２６の走行が不安定になることがなくなり、磁気ヘッドが磁気テープ２６の記録の読み取りや書き込みを正常に行うことができる。
【００２６】
また、一端部に配された平巻き部１４ｂをセンターキャップ１３に係止し、他端部に配された平巻き部１４ｂをリールホルダ１２に当接することにより、ねじれ方向の変位によってばね定数が実質的に変化することなく各テープリール１１，１１を同一の力で付勢することができる。
【００２７】
なお、本実施形態における波形板ばね状リールばね１４は、山部１４ａ１と谷部１４ａ２をそれぞれ３周期分交互に繰り返した構成としたが、これに限られることはなく、必要とされるばね力に応じたばね定数となるように、山部１４ａ１と谷部１４ａ２の繰り返し周期（回数）を適宜変更するように構成してもよい。
【００２８】
また、本実施形態の波形板ばね状リールばね１４は、波付け部１４ａと平巻き部１４ｂとを有する構成としたが、これに限られることはなく、波付け部１４ａを直接リールホルダ１２と、センターキャップ１３との間に介装して使用してもよい。
【００２９】
【発明の効果】
本発明の磁気テープカセットによれば、波形板ばね状リールばねにより、各テープリールの回転方向が切換わっても同一の付勢力を各テープリールに付与する。
従って、各テープリールにかかる付勢力を回転方向に無関係に同一にすることができるので、磁気テープの走行が不安定になることがなくなり、磁気ヘッドが磁気テープの記録の読み取りや書き込みを正常に行うことができる。
【図面の簡単な説明】
【図１】本発明に係る磁気テープカセットの一実施の形態の要部の斜視図である。
【図２】図１に示した下カセットハーフを示す斜視図である。
【図３】図１に示した磁気テープカセットでの波形板ばね状リールばね周りの側面図である。
【図４】図３の斜視図である。
【図５】従来の磁気テープカセットの構成を示す分解斜視図である。
【図６】図５におけるリールばね周りの側面図である。
【図７】図６におけるリールばねの変位を示す説明図である。
【図８】図７とは異なるリールばねの変位を示す説明図である。
【符号の説明】
１  磁気テープカセット
３  カセットケース
７  上カセットハーフ
９  下カセットハーフ
１１  テープリール
１２  リールホルダ
１４  波形板ばね状リールばね（リールばね）
１４ａ  波付け部
１４ｂ  平巻き部
１４ａ１  山部
１４ａ２  谷部
２６  磁気テープ
【図１】
2004296046.tif 000003
【図２】
2004296046.tif 000004
【図３】
2004296046.tif 000005
【図４】
2004296046.tif 000006
【図５】
2004296046.tif 000007
【図６】
2004296046.tif 000008
【図７】
2004296046.tif 000009
【図８】
2004296046.tif 000010